(57)【要約】【課題】電線把持面に、電線外周面のらせん状突起が入るらせん溝１６を形成した一対のカラー半片１２、１２よりなる電線クランプ用二つ割りカラー１０で、クランプに対するセット角θが変化しても、クランプの締め付け力を電線に十分伝達できるようにし、電線把持力を安定させる。【解決手段】一対のカラー半片１２、１２の各々に、長手方向に、外周面から電線把持面に達する貫通溝２０を形成する。これによってクランプの締め付け力によってカラー半片１２が容易に変形できるようにする。【選択図】　　　図１
2004088903.tif 000002
【特許請求の範囲】
【請求項１】
電線把持面に、電線外周面のらせん状突起が入るらせん溝を形成した一対のカラー半片よりなる電線クランプ用二つ割りカラーにおいて、前記一対のカラー半片の各々に、その長手方向又は周方向に、外周面から電線把持面に達する貫通溝又は外周面から電線把持面までの間に薄肉部を残した非貫通溝を形成したことを特徴とする電線クランプ用二つ割りカラー。
【請求項２】
電線把持面に、電線外周面のらせん状突起が入るらせん溝を形成した一対のカラー半片よりなる電線クランプ用二つ割りカラーにおいて、前記一対のカラー半片の各々に、外周面から電線把持面に達する貫通孔又は外周面から電線把持面までの間に薄肉部を残した非貫通孔を多数形成したことを特徴とする電線クランプ用二つ割りカラー。
【請求項３】
外周面がテーパー状で、電線把持面に、電線外周面のらせん状突起が入るらせん溝を形成した一対のカラー半片よりなる楔式電線クランプ用二つ割りカラーにおいて、前記一対のカラー半片の各々に、その長手方向に、外周面から電線把持面に達する貫通溝又は外周面から電線把持面までの間に薄肉部を残した非貫通溝を形成したことを特徴とする楔式電線クランプ用二つ割りカラー。
【発明の詳細な説明】
【０００１】
【発明の属する技術分野】本発明は、外周面にらせん状突起を設けた低風騒音電線や、外周面に光ファイバケーブルをらせん状に巻き付けた架空地線などを把持するのに用いられる電線クランプ用二つ割りカラーに関するものである。
【０００２】
【従来の技術】架空送電線などに直角方向から比較的強い風、例えば季節風などが吹き付けると、電線表面からの気流の交番的な剥離により圧力変動が生じ、これが原因で風騒音が発生する。風騒音には卓越周波数成分が存在し、太い電線ほど卓越周波数が低くなり、耳障りな音となる。この風騒音を防止するために、次のような対策がとられている。
【０００３】
１）　スパイラルロッドの巻き付け
風騒音は断面が非円形であると発生し難いことから、電線に、らせん状に成形されたロッド等を巻き付けて、断面円形の電線を非円形化する。
２）　低風騒音電線の採用
上記１）の方法は主に既設の送電線に採用されているが、新設の送電線では、最外層に予めらせん状突起を形成する素線を撚り込んだ低風騒音電線が用いられている。
【０００４】上記のような外周面にらせん状突起を有する低風騒音電線、あるいは外周面に光ファイバケーブル等を巻き付けることでらせん状突起が形成された電線に、ダンパやスペーサ等のクランプを取り付ける場合には、特開平７−５９２３６号公報に開示されているような二つ割りカラーを用いることが好ましい。この二つ割りカラーは、外周面が断面円形で、電線把持面（内周面）に、電線外周面のらせん状突起が入るらせん溝を形成したものである。この二つ割りカラーを、電線把持面のらせん溝に電線外周面のらせん状突起を入れるようにして電線外周に取り付け、その上からクランプで把持すれば、らせん状突起の存在に関係なく電線を把持することができる。
【０００５】
【発明が解決しようとする課題】しかしながら、上記のような電線クランプ用二つ割りカラーは、ダンパやスペーサの取り付け位置（この位置は決められていて電線方向にずらすことはできない）において、電線外周面のらせん状突起が電線把持面のらせん溝に入るようにセットしなければならないため、二つ割りカラーのクランプに対するセット角（クランプの分割面に対する二つ割りカラーの分割面の傾き角）が一定せず、クランプによる二つ割りカラーの締め付け方向が一定しない。その結果、二つ割りカラーのセット角によってはクランプの締め付け力が電線に十分に伝達されないことがあり、二つ割りカラー内で電線がスリップするなどの不具合が発生する。
【０００６】本発明の目的は、以上のような問題点に鑑み、二つ割りカラーのクランプに対するセット角が変化しても、クランプの締め付け力を電線に十分伝達することのできる電線クランプ用二つ割りカラーを提供することにある。
【０００７】
【課題を解決するための手段】この目的を達成するため本発明は、電線把持面に、電線外周面のらせん状突起が入るらせん溝を形成した一対のカラー半片よりなる電線クランプ用二つ割りカラーにおいて、前記一対のカラー半片の各々に、その長手方向又は周方向に、外周面から電線把持面に達する貫通溝又は外周面から電線把持面までの間に薄肉部を残した非貫通溝を形成したことを特徴とするものである。
【０００８】二つ割りカラーに上記のような貫通溝又は非貫通溝を形成しておくと、二つ割りカラーがどの方向からクランプで締め付けられても、締め付け方向に撓みやすくなる。このため二つ割りカラーのセット角が変化しても、電線をほぼ一定の力で把持することが可能となる。
【０００９】本発明はまた、前記一対のカラー半片の各々に、外周面から電線把持面に達する貫通孔又は外周面から電線把持面までの間に薄肉部を残した非貫通孔を多数形成したものとすることもできる。
【００１０】さらに本発明は、ダンパやスペーサのクランプに用いられている二つ割りカラーに限らず、カマロングや楔式引留クランプのような楔式電線クランプに用いられている、外周面がテーパー状の楔状二つ割りカラーにも適用できる。すなわち本発明は、外周面がテーパー状で、電線把持面に、電線外周面のらせん状突起が入るらせん溝を形成した一対のカラー半片よりなる楔式電線クランプ用二つ割りカラーにおいて、前記一対のカラー半片の各々に、その長手方向に、外周面から電線把持面に達する貫通溝又は外周面から電線把持面までの間に薄肉部を残した非貫通溝を形成したものであってもよい。
【００１１】
【発明の実施の形態】以下、本発明の実施の形態を、図面を参照して詳細に説明する。
【００１２】
〔実施形態１〕　図１は本発明の一実施形態を示す。この二つ割りカラー１０は、一対のカラー半片１２、１２を円筒状に組み合わせ、その片側を連結片１４により連結し、反対側を開閉可能にしたものである。一対のカラー半片１２、１２はアルミ製で同じ形状であり、それぞれ図２のような形状を有している。
すなわち、カラー半片１２は、電線把持面（内周面）にらせん溝１６が形成され、両端に鍔部１８が形成されている。らせん溝１６は、電線外周面のらせん状突起が入るように、らせん状突起と同じピッチで形成されている。以上の構成は従来のカラー半片と同じである。
【００１３】このカラー半片１２の特徴は、長手方向に溝２０が形成されていることである。この溝２０は、外周面側に開いたＶ字状の溝で、外周面から内周面に達する貫通溝となっている。この貫通溝２０は、カラー半片１２の両側縁からほぼ４５°の位置に１本ずつ、計２本形成されている。また連結片１４を取り付ける部分２２は、クランプによる締め付けを阻害しないように薄肉に形成され、リベット用の穴２４が形成されている。
【００１４】また連結片１４は、図１（Ｃ）、（Ｄ）に示すような樹脂又はアルミ製の可撓性のある薄板にリベット用の穴２６を形成したものである。この連結片１４を、図１（Ａ）、（Ｂ）のように一対のカラー半片１２の取付け部２２に跨らせてリベット２８で固定し、一対のカラー半片１２、１２を連結することで、二つ割りカラー１０が構成される。
【００１５】図３は以上のように構成された二つ割りカラー１０の使用状態の一例を示す。図において、３０は４導体送電線を構成する低風騒音電線（４本の内の１本だけを示す）、３２は４本の低風騒音電線３０を所定の間隔に保つスペーサである。低風騒音電線３０は外周面にらせん状突起を有するものである。二つ割りカラー１０は４導体送電線のスペーサ取付け位置で、低風騒音電線３０のらせん状突起が電線把持面のらせん溝に入るように周方向の位置を調整した上で、低風騒音電線３０の外周にセットされる。スペーサ３２は公知のもので、３４は円形フレーム、３６はアイボルト、３８Ａはクランプ本体、３８Ｂはクランプキャップ、４０は連結ボルト、４２はヒンジピン、４４はボルトレス締め付け機構である。
【００１６】低風騒音電線３０の外周に二つ割りカラー１０を上記のようにセットした後、クランプキャップ３８Ｂを閉じ、締め付け機構４４によりクランプ本体３８Ａとクランプキャップ３８Ｂを締め付ける。これによってクランプ３８Ａ、３８Ｂが二つ割りカラー１０を介して低風騒音電線３０を締め付けることになる。ボルトレス締め付け機構４４の締め付け力は、二つ割りカラー１０が取り付けられた電線軸上において約３〜２０ｋＮ程度である。
【００１７】次に上記のような二つ割りカラー１０を用いた場合の効果について説明する。図４（Ａ）、（Ｂ）に示すように、クランプ３８Ａ、３８Ｂにより二つ割りカラー１０を介して電線３０を締め付ける場合、クランプ３８Ａ、３８Ｂの向きは一定でも、二つ割りカラー１０の向き（セット角）は電線のらせん状突起が周方向のどの位置にあるかによって変化する。ここでいう二つ割りカラー１０のセット角θとは、図４（Ｃ）に示すように、クランプの分割面Ｐに対する二つ割りカラー１０の分割面Ｑの傾き角である。図４（Ａ）は二つ割りカラー１０のセット角θが０°の場合、（Ｂ）は二つ割りカラー１０のセット角θが９０°の場合である。
【００１８】図５（Ａ）、（Ｂ）は、この実施形態の二つ割りカラーと従来の二つ割りカラーを用いて、同一条件でクランプにより電線を把持し、二つ割りカラーのセット角を変化させたときの、クランプの把持力の変化を測定した結果を示す。把持力の測定は、電線を試験径間に、電線の引張り破断張力の２０％の張力で架設し、その電線を二つ割りカラーを介してクランプで把持し、クランプにトルクを加えて二つ割りカラーと電線との間のスリップ開始トルクを測定するものである。図５（Ａ）はこの実施形態の二つ割りカラーを用いた場合、（Ｂ）は従来の二つ割りカラーを用いた場合である。この測定結果より次のような傾向が明らかとなった。
【００１９】
１．従来の二つ割りカラー（溝のない一定肉厚のカラー）では、図５（Ｂ）のように、カラーのセット角θが変化すると、電線把持力が大きく変動する。
２．長手方向に溝２０を設けた本実施形態の二つ割りカラーでは、図５（Ａ）のように、カラーのセット角θが変化しても、電線把持力はほぼ一定に保たれる。
３．本実施形態の二つ割りカラーを用いることで電線把持力がほぼ一定になるのは、長手方向に溝２０を設けたことにより、クランプの締め付け力に対するカラーの剛性が低下し、カラーが撓みやすくなり、電線に締め付け力を伝達しやすくなるからである。
４．従来のカラーはセット角θが９０°のときに把持力が著しく低下する。この原因は、図４（Ｂ）からも分かるように、クランプの締め付け力がカラーを変形させるためのエネルギーとして消費されてしまい、電線に有効に伝達されないからである。このような傾向は、カラーの肉厚が電線外径に対して相対的に厚く、締め付け軸力が比較的低くて済む、小サイズの電線を把持する場合において顕著である。
【００２０】以上の試験結果から、クランプの締め付け力を電線に有効に伝達するためには、クランプの締め付け力を受けて二つ割りカラーが適当に変形してくれればよく、そのためには一対のカラー半片の各々に長手方向に溝を形成することが有効であることが分かる。溝の形状や形成位置、形成本数などは、クランプの締め付け力に対してカラー自身がセット角θに実質的に依存することなく変形して所定の把持力が得られるように選定すればよい。
【００２１】
〔実施形態２〕　図６は本発明の他の実施形態を示す。この二つ割りカラー１０は、一対のカラー半片１２の各々に、周方向に長い貫通溝２０を複数箇所に設けたものである。それ以外の構成は実施形態１と同じであるので、同一部分には同一符号を付して説明を省略する。
【００２２】
〔実施形態３〕　図７は本発明のさらに他の実施形態を示す。この二つ割りカラー１０が実施形態１のものと異なる点は、一対のカラー半片１２の各々に、貫通溝ではなく非貫通溝４６を設けたものである。この非貫通溝４６は電線把持面側に薄肉部４８を残したものであるが、薄肉部４８はカラー半片１２の外周面から電線把持面までの間（肉厚内）のどこに設けてもよい。薄肉部４８の厚さは、クランプの締め付け力で二つ割りカラー１０が変形するのを阻害しない程度に設定される。上記以外の構成は実施形態１と同じであるので、同一部分には同一符号を付して説明を省略する。
【００２３】
〔実施形態４〕　以上の実施形態では、一対のカラー半片１２の各々に、貫通溝又は非貫通溝を設けた場合を説明したが、いわゆる細長い溝ではなく、多数の貫通孔又は非貫通孔を設けてもよい。孔の場合も、要するに二つ割りカラーのセット角が９０°のときに二つ割りカラーがクランプの締め付け力で容易に変形できるように設けられていればよい。
【００２４】
〔実施形態５〕　図８は本発明のさらに他の実施形態を示す。この実施形態は、低風騒音電線の架線工事に用いられるカマロングの楔状二つ割りカラーに本発明を適用した場合である。カマロングの楔状二つ割りカラー５０は、外周面が先細りのテーパー状に形成された一対の楔状カラー半片５２、５２で構成されている。特に低風騒音電線用の楔状カラー半片５２の場合は、電線把持面に、電線外周面のらせん状突起が入るらせん溝５４が形成されている。この実施形態は、上記のような一対の楔状カラー半片５２の各々に、長手方向に、外周面から電線把持面に達する貫通溝５６を形成したものである。貫通溝５６は楔状カラー半片５２の先端から後端付近まで形成されている。なお５８は一対の楔状カラー半片５２、５２の後端部を同じ位置に揃えるためのずれ止め片である。
【００２５】カマロングの楔状二つ割りカラー５０は、カマロング本体に対して前記図４（Ｂ）のようにセットして使用される。その理由は、図４（Ａ）のようにセットすると次のような問題が生じるからである。１）一対の楔状カラー半片５２の合わせ面の隙間がなくなるまで締め付けられてしまい、電線が過大な締め付け力により押しつぶされて損傷する。２）合わせ面の隙間が残っていると、延線時の張力によって一対の楔状カラー半片５２が楔効果により急激に密接することがあり、このときの衝撃で電線がスリップして不測の事故などが懸念される。
【００２６】カマロングで通常の電線を把持するときは、カマロング本体を電線外周に装着し、楔状カラー半片をハンマーなどで叩いて打ち込むが、低風騒音電線のように外周にらせん状突起のある特殊な電線を把持するときは、次のような手順で行なわれる。まず低風騒音電線のらせん状突起を楔状カラー半片の内周面のらせん溝に入れるようにして、低風騒音電線に楔状二つ割りカラーをセットする。その後、カマロング本体を楔状二つ割りカラーに被せて固定ボルトを強固に締め付ける。このような手順をとる理由は、カマロング本体を装着してから楔状二つ割りカラーを打ち込むと、楔状二つ割りカラーが電線上を直線的に移動して、電線のらせん状突起を損傷させてしまうからである。
【００２７】この実施形態の楔状二つ割りカラー５０を使用すると、二つ割りカラー５０のセット角θを９０°としてカマロング本体をボルトで締め付けても、楔状二つ割りカラー５０が若干変形するため低風騒音電線を強固に把持することができる。また低風騒音電線を張力をかけて延線しても、カマロング取付け部で電線がスリップするような事態を確実に防止できる。
【００２８】
〔実施形態６〕　図９は本発明のさらに他の実施形態を示す。この実施形態は、外周面にらせん状突起を有する電線を引き留める楔式引留クランプの楔状二つ割りカラーに本発明を適用したものである。楔式引留クランプ６０は、鉄塔などに引き留められる引留クランプ本体６２と、その中に挿入される楔状二つ割りカラー６４とから構成される。引留クランプ本体６２内には相対する断面略Ｍ字状のテーパー面が形成されている。楔状二つ割りカラー６４は、一対の楔状カラー半片６６、６６で構成され、各楔状カラー半片６６は、内面が電線把持面となっており、外面が前記引留クランプ本体６２内のテーパー面に合う先細りのテーパー面となっている。特に外周面にらせん状突起を有する電線を引き留める楔状カラー半片６６の場合は、電線把持面に、電線外周面のらせん状突起が入るらせん溝（図示省略）が形成されている。この楔状二つ割りカラー６４の特徴は、上記のような一対の楔状カラー半片６６の各々に、長手方向に、外周面から電線把持面に達する貫通溝６８を形成したことである。貫通溝６８は楔状カラー半片６６の先端から後端付近まで形成されている。
【００２９】上記のように構成すると、前述した理由により楔状二つ割りカラー６４が電線の外形によくなじみ、把持力がより強固なものとなる。また引留クランプ本体６２の内面や、楔状カラー半片６６の外面の加工精度を従来のものより低くすることができ、加工費を削減できる利点がある。
【００３０】なおこの実施形態では、楔状カラー半片６６に外周面から電線把持面に達する貫通溝６８を形成したが、貫通溝ではなく、外周面側又は電線把持面側に薄肉部を残した非貫通溝を形成してもよい。
【００３１】
【発明の効果】以上説明したように本発明によれば、低風騒音電線や光ファイバケーブルを巻き付けた架空地線のような外周面にらせん状突起を有する電線を、二つ割りカラーを介してクランプで把持する際に、二つ割りカラーのセット角に左右されずに安定した把持力を得ることができる。このため電線のスリップなどによる電線や光ファイバケーブルの損傷を確実に防止することができる。
【００３２】またカマロングや楔式引留クランプのような楔式電線クランプの二つ割りカラーに本発明を適用しても、同様に安定した把持力を得ることができる。
【図面の簡単な説明】
【図１】本発明に係る電線クランプ用二つ割りカラーの一実施形態を示す、（Ａ）は正面図、（Ｂ）は（Ａ）のＢ−Ｂ線断面図、（Ｃ）、（Ｄ）は（Ａ）の二つ割りカラーに用いられる連結片の正面図及び側面図。
【図２】図１の二つ割りカラーを構成するカラー半片を示す、（Ａ）は正面図、（Ｂ）は右側面図、（Ｃ）は左側面図、（Ｄ）は平面図、（Ｅ）は底面図、（Ｆ）は（Ａ）のＦ−Ｆ線断面図。
【図３】図１の二つ割りカラーの使用状態を示す説明図。
【図４】（Ａ）は二つ割りカラーのセット角θが０°の状態を示す説明図、（Ｂ）は同じく９０°の状態を示す説明図、（Ｃ）は二つ割りカラーのセット角θの説明図。
【図５】（Ａ）は本発明の二つ割りカラーを使用したときの、セット角θの変化に対する電線把持力の変化を示すグラフ、（Ｂ）は従来の二つ割りカラーを使用したときの、セット角θの変化に対する電線把持力の変化を示すグラフ。
【図６】本発明に係る電線クランプ用二つ割りカラーの他の実施形態を示す正面図。
【図７】同じくさらに他の実施形態を示す断面図。
【図８】本発明に係る楔式電線クランプ（カマロング）用二つ割りカラーの一実施形態を示す、（Ａ）は正面図、（Ｂ）は右側面図、（Ｃ）は左側面図、（Ｄ）は平面図。
【図９】本発明に係る楔式電線クランプ（楔式引留クランプ）用二つ割りカラーの他の実施形態を示す、（Ａ）は正面図、（Ｂ）は（Ａ）のＢ−Ｂ線断面図、（Ｃ）は平面図。
【符号の説明】
１０：電線クランプ用二つ割りカラー
１２：カラー半片
１４：連結片
１６：らせん溝
２０：貫通溝
２８：リベット
３０：低風騒音電線
３２：スペーサ
３８Ａ：クランプ本体
３８Ｂ：クランプキャップ
４６：非貫通溝
４８：薄肉部
５０：カマロング用二つ割りカラー
５２：カラー半片
５４：らせん溝
５６：貫通溝
６０：楔式引留クランプ
６２：引留クランプ本体
６４：二つ割りカラー
６６：カラー半片
６８：貫通溝
【図１】
2004088903.tif 000003
【図２】
2004088903.tif 000004
【図３】
2004088903.tif 000005
【図４】
2004088903.tif 000006
【図５】
2004088903.tif 000007
【図６】
2004088903.tif 000008
【図７】
2004088903.tif 000009
【図８】
2004088903.tif 000010
【図９】
2004088903.tif 000011